(57)【要約】      （修正有）【課題】タグのワイヤー挿入口を工具等で短絡して、不正に商品からワイヤーを外して万引きを行うことを防止するループ・タグを提供する。【解決手段】盗難防止用ループ・タグは、自鳴式盗難防止用箱型タグ及び該箱形タグに先端をロックするワイヤーからなり、該ワイヤーで商品に取り付けられる盗難防止用ループ・タグにおいて、上記ワイヤー内に抵抗５を有し、該抵抗が不正に短絡されると該短絡を検知して前記タグ内のブザーを鳴動させる。【選択図】図５
0003138094.tif 000002
【実用新案登録請求の範囲】
【請求項１】
自鳴式盗難防止用箱型タグ及び該箱形タグに先端をロックするワイヤーからなり、該ワイヤーで商品に取り付けられる盗難防止用ループ・タグにおいて、
上記ワイヤー内に抵抗を有し、該抵抗が不正に短絡されると該短絡を検知して前記タグ内のブザーを鳴動させることを特徴とする盗難防止用ループ・タグ。
【請求項２】
前記短絡検知回路が、電圧検出用ＩＣであることを特徴とする前記請求項１記載の盗難防止用ループ・タグ。
【考案の詳細な説明】
【技術分野】
【０００１】
この考案は、衣類等の商品にワイヤーで取り付けられる自鳴式盗難防止用タグ（以下、ループ・タグという。）に関し、特にワイヤーを工具等によりワイヤー接続部を短絡して不正にワイヤーを商品から外し持ち去る万引きを防止する機能を備えた盗難防止用ループ・タグに関する。
【背景技術】
【０００２】
特開平８−２４１４７１号公報や特開平１１−２８３１３１号公報には、図１，図２に示されるような従来のワイヤーで商品に取り付けられる盗難防止タグが提案されている。
図４は、上記従来のワイヤー式盗難防止タグの構造を示す。図３は、上記ワイヤー式盗難防止タグの外観を、図４（ａ）はロック状態を、図４（ｂ）は解除スライダのロック解除動作状態を示している。
図３の筐体は、左右の箱形状の部材の張り合わせで形成され、図４の内部構造を有している。このタグの動作の概要は以下のとおりであるが、詳細は特開２００２−３０４６７６号公報に記載されている。なお、該構造は本考案の回路には直接関係がなく、他の構造のものでもよい。
【０００３】
図３，図４において押力をノブ８６に与えて第１弾性部８１を撓ませ、白抜き矢符で示した第１方向への押力をノブ８６に与えることによって、解除スライダ７６を第１方向へスライドさせる。このとき、第２弾性部９２が撓み、解除スライダ８１，８２の右方に設けた貫通孔９５と外箱７５の他側面に設けた解除孔７９とが連通する。
【０００４】
そして、ノブ８６への押力を除去した場合、図４（ａ）に示した如く、第２弾性部の復元力によって、解除スライダ７６は、脚部８４の先端がそれに対応する当接凸部１０１に当接するまで後退する。このとき、解除スライダ７６が後退すると、第１弾性部９１が復元して支持板部が復帰する。そして、第２方向への押力を与えることなく、第１方向への押力をノブ８６に与えた場合、支持板部の突起がストッパーに当接して、解除スライダ７６の第１方向へのスライドを制限する。
【０００５】
図４において、差込み筒部１３１，１３１内にそれぞれ配設した導通バネ１３２とピン差込み部１１１，１１１とが接触し、両導通バネを当接させてある接点の間が導通状態になる。図示せぬ制御装置がこの導通状態を検出している間はブザーを作動させず、リセット信号を受信することなく、前記両接点間の導通が切断された場合、ブザーを作動させて警報音を発するようにしてある。
【０００６】
このような第１ロックバネ１４１によってロックされた差込み部１１１のロックを解除するには、解除スライダ７６を第２方向及び第１方向の順番で移動させることによって、ロック解除部９６を第１ロックバネ１４１の端部に当接させる。更に、解除スライダ７６を第１方向へ移動させることによって、図４（ｂ）に示した如く、第１ロックバネ１４１を矢符方向へ撓ませ、第１ロックバネ１４１の係合部１４１ａを差込み部１４１の溝（１１２）から離隔させる。これによって、第１ロックバネ１４１による差込み部１１１のロックが解除されると共にエジェクトバネ１３２が伸長し、図４（ｂ）に白抜き矢符で示した如く、差込み部１１１が差込み筒部１３１から外へ押し出される。
【０００７】
このロック解除操作を、リセット信号を制御装置に与えることなく行った場合、前述した如くブザーが作動する。
対象物への盗難防止タグの取り付け及び取り外しは、第１ロックバネ１４１によるワイヤー７４の一方の差込み部１１１のロックを解除した状態、つまり、第２ロックバネ１４２によってワイヤー７４の他方の差込み部１１１をロックした状態で行うことができる。しかし、ワイヤー７４をタグ本体から分離しなければならない場合は、第２ロックバネ１４２によるロックを解除する。
【０００８】
ところで、上記従来のループ・タグは、ワイヤーがタグに接続されてワイヤー両端間の導通状態を検出している間はブザーを作動させず、リセット信号を受信することなく、上記タグのワイヤー両端挿入口の両接点間の導通が切断された場合、ブザーを作動させて警報音を発するようにしてある。
【０００９】
すなわち、ロック解除操作を、リセット信号を制御装置に与えることなく行った場合、前述した如くブザーが作動する。
しかし、最近工具等により上記両接点間を接続状態にしてワイヤーを抜き取り、商品を万引きする例が増えている。
【特許文献１】特開平８−２４１４７１号公報
【特許文献２】特開平１１−２８３１３１号公報
【特許文献３】特開２００２−３０４６７６号公報
【考案の開示】
【考案が解決しようとする課題】
【００１０】
この考案は、上記従来のループ・タグにおいて、タグのワイヤー挿入口を工具等で短絡して、不正に商品からワイヤーを外して万引きを行うことを防止するループ・タグを提供することを目的とする。
【課題を解決するための手段】
【００１１】
この考案の盗難防止用ループ・タグは、自鳴式盗難防止用箱型タグ及び該箱形タグに先端をロックするワイヤーからなり、該ワイヤーで商品に取り付けられる盗難防止用ループ・タグにおいて、上記ワイヤー内に抵抗を有し、該抵抗が不正に短絡されると該短絡を検知して前記タグ内のブザーを鳴動させることを特徴とする。
さらに、前記短絡検知回路が電圧検出用ＩＣであることを特徴とする。
【考案の効果】
【００１２】
この考案の盗難防止用ループ・タグは、ワイヤー内に抵抗を有し、リセット信号を制御装置に与えることのない状態で、不正にロック解除操作をするために工具等により前記両接点間を接続状態にして該抵抗を短絡しワイヤーを切断されると、自鳴式盗難防止用箱型タグ内の電圧検出用回路により該短絡が検知され、ブザーが作動する。従って、商品の万引きが有効に防止される。
【考案を実施するための最良の形態】
【００１３】
以下、この考案の盗難防止用ループ・タグについて図を用いて説明する。
図１は、この考案が用いられる盗難防止用ループ・タグの外観図である。
該ループ・タグは、筐体１０、ケーブルロック解除レバー１２、移動溝１４、一方のピン差込穴２８、一方のケーブルピン本体１６、一方の握り部１８、ケーブル２０、他方の握り部２２、他方のケーブルピン本体２４、他方のピン差込穴２６等からなる。ケーブル２０の一端には、一方の握り部１８及び一方のケーブルピン本体１６を有し、ケーブル２０の他端には、他方の握り部２２及び他方のケーブルピン本体２４を有する。
【００１４】
一方のケーブルピン本体１６は、一方のピン差込穴２８に挿入する。他方のケーブルピン本体２４は、他方のピン差込穴２６に挿入する。ケーブルピン本体１６及び２４を差込穴２６及び２８に挿入することによって、ケーブル２０及び筐体１０は、閉じた輪となる。なお、ケーブルピン本体１６，２４は同一形状なのでどちらを一方、他方としてもよい。他方のピン差込穴２６に挿入されたケーブルピン本体２４は、常時はロック状態に保たれ、タグの破損やロック機構の故障等の時、後述する図示されない筐体裏側の孔からピンを差し込んで解除される。
【００１５】
このループ・タグは、ケーブル２０の途中に、例えば、バッグ、カバン、洋服、履き物等の物品同士もしくは他の物品を通し、ケーブルピン本体１６及び２４をピン差込穴２６及び２８に挿入することによって連結して用いられる。この連結状態をケーブルロックと呼ぶ。ケーブルロックの連結状態を解除するには、ケーブルロック解除レバー１２を同図の左方に移動する。筐体１０に設けた移動溝１４は、ケーブルロック解除レバー１２が移動するための空間である。ケーブルロックは、ケーブルピン本体１６及び２４をピン差込穴２６及び２８に挿入して強く押し込むことによりなされる。
【００１６】
図２（ａ）は、ケーブル２０を説明する図である。図２（ｂ）は、ケーブルの握り部を説明する拡大図である。握り部２２及び１８は、図示するようにケーブル２０との接続部分に折り曲げに耐え、また引っ張りに耐えるように接続補強のための凹凸表面形状を有する接続部材を有する。また、該握り部２２，１８は、ピン１６，２４をピン差込穴２６，２８へ押し込む時過度に押し込んで壊さないためのストッパーでもある。
【００１７】
図４は、上記従来のワイヤー式盗難防止タグの構造を示す。図３は、上記ワイヤー式盗難防止タグの外観を、図４（ａ）はロック状態を、図４（ｂ）は解除スライダのロック解除動作状態を示している。
前述の如く、このような解除スライダ７６にあっては、押力をノブ８６に与えて第１弾性部８１を撓ませることによって、その状態において白抜き矢符で示した第１方向への押力をノブ８６に与えることによって、解除スライダ７６を第１方向へスライドさせる。そして、ノブ８６への押力を除去した場合、ロックされる。なお、このロック動作の詳細は、特開２００２−３０４６７６号公報に記載されている。
【００１８】
図４において、差込み筒部１３１，１３１内にそれぞれ配設した導通バネ１３２とピン差込み部１１１、１１１とが接触し、両導通バネを当接させてある接点の間が導通状態になる。図示せぬ制御装置がこの導通状態を検出している間はブザーを作動させず、リセット信号を受信することなく、前記両接点間の導通が切断された場合、ブザーを作動させて警報音を発するようにしてある。
【００１９】
このような第１ロックバネ１４１によってロックされた差込み部１１１のロックを解除するには、解除スライダ７６を第２方向及び第１方向の順番で移動させることによって行われる。なお、該動作の詳細も上記特開２００２−３０４６７６号公報に記載されている。
ロックが解除されるとエジェクトバネ１３２が伸長し、図４（ｂ）に白抜き矢符で示した如く、差込み部１１１が差込み筒部１３１から外へ押し出される。
【００２０】
このロック解除操作を、リセット信号を制御装置に与えることなく行った場合、前述した如くブザーが作動する。
この考案は、前記図１のワイヤー内に抵抗を挿入し、該抵抗を短絡しワイヤーを抜き取ると、自鳴式盗難防止用箱型タグ内の電圧検出用ＩＣにより該短絡が検知され、ブザーが作動する回路をタグ内に設けたものである。
すなわち、該抵抗を短絡しワイヤーを抜き取ると、自鳴式盗難防止用箱型タグ内の電圧検出回路により該短絡が検知され、ブザーが作動する。
【００２１】
以下、図５により、本考案の盗難防止回路の実施例を説明する。
図５において、１５はマイコンであり、各ポートの機能は以下のとおりである。
ポート１１（ＲＡ４）
・・・このポートがＨの場合ポート６（ＲＡ５）を無視する。Ｌの場合は、ポート６（ＲＡ５）の機能が有効になる。
ポート６（ＲＡ５）
・・・ループセンサー（回路図点線内がループセンサー）のショート検出機能を有する。Ｈでショート無し、Ｌでショートと認識させる。
ポート７（ＲＡ６）
・・・マイコンの起動とループセンサ切断を監視する機能
Ｈの時：ＳＴＯＰ  ＭＯＤＥ
Ｈ→Ｌの時：マイコン起動
Ｌ→Ｈの時：警報モード
ポート１３（ＶＣＣＲＸ）
・・・監視モード（ＳＴＡＮＤ  ＢＹ）以外の電流消費を低減させる機能を有する。
【００２２】
いずれの機能もマイコン入力ポート動作電圧を（マイコンがＨ及びＬ）と認識する電圧をカスタムマイコンで１Ｖ以下である事を前提に設定している。マイコンは入力電圧が１Ｖ〜３Ｖの範囲をＨと認識し、１Ｖ以下をＬレベルと認識する。
【００２３】
以下、図５の回路の動作を説明する。
図５において、
１．マイコンの起動（ポート７（ＲＡ４）がLに設定される。）
１−１  ループセンサー５が接続されない場合マイコンはＳＴＯＰ  ＭＯＤＥで待機している。（ポート１３（ＶＣＣ＿ＲＸ）が０Ｖを出力。）
１−２  ループセンサー５接続されるとマイコンはポート１３（ＶＣＣ＿ＲＸ）に３Vを出力し監視状態に入る（ＳＴＡＮＤＢＹ  ＭＯＤＥ）。
【００２４】
２．初期設定の動作内容
２−１  ループセンサー５（Ｒ２１）が接続されるとポート７（ＲＡ６）の電圧３Ｖが抵抗１７（Ｒ１４）と抵抗５（Ｒ２１）の分割された電圧になり、この抵抗値の分割を１Ｖ以下に設定しているのでマイコンがＬと認識しマイコンが起動し監視モードに入る。
２−２  マイコンが起動しＶＣＣ＿ＲＸが３ＶになるとポイントＣ部（３）の電圧が抵抗１９（Ｒ１６）と抵抗２１（Ｒ１７）の分割された電圧になる。この抵抗値の分割による電圧は、ポイント４（Ａ部）の電圧と同じ電圧になるように設定している。
２−３  Ａ部（４）とＣ部（３）の電圧が同じ電圧のためトランジスタＱ１（８）はＯＦＦとなりポート６（ＲＡ５）はＨになる。
２−４  上記動作で監視モードが確定する。
【００２５】
３．ループセンサーが切断された場合の動作
３−１  ワイヤーが切断されると、ループ・センサー５（Ｒ２１）が無くなる。（抵抗１７（Ｒ１４）と抵抗５（Ｒ２１）の分割が無くなる。）
３−２  ポート７（ＲＡ６）がＨになりマイコンは警報を発する。この警報はRESET処理がされるまで維持される。
４．ループセンサーがショートされた場合の動作
４−１  ループセンサー５（Ｒ２１）の抵抗値が０Ωとなる。
４−２  ポート７（ＲＡ６）はＬと認識しているのでポート７（ＲＡ６）ではマイコンは動作しない。
４−３  しかし、ポート４（Ａ部）の電圧は０Ｖとなる。
４−４  ポート４の電圧が０なので、ポート３（Ｃ部）の電圧によりトランジスタＱ１（８）のベース電圧が１Ｖ以上となり、トランジスタＱ１（８）がＯＮになりＱ１（８）のコレクター電圧が０Ｖとなる。
４−５  上記のように、ポート６（ＲＡ５）がLとなり、マイコンが認識して警報を発する。この警報はRESET処理がされるまで維持される。
【００２６】
なお、上記トランジスタ８（Ｑ１）は電圧検出用ＩＣに置き換えてもよい。
このようにトランジスタ８を電圧検出用ICに置き換えると更に、ワイヤー以外の箇所での抵抗付リード線でのショート検出が可能になる効果がある。
このようにして、図１におけるピン差し込み穴２６，２８間に工具等を用いる等何らかの方法で短絡しておいて、その状態でワイヤー２０を切断してブザーを鳴動させずに商品からループ・タグを外し、商品を不正に持ち出す万引き行為を防ぐことができる。
【産業上の利用可能性】
【００２７】
本考案のループ・タグは、従来のループ・タグがタグ筐体へのワイヤー端子挿入口間を短絡させて不正に万引きすることできた欠点を改良し、ワイヤー端子挿入口間を短絡させて不正に万引きすることが有効に防止されるので産業上の利用性が高い
【図面の簡単な説明】
【００２８】
【図１】ループ・タグの概観図である。
【図２】ループ・タグのワイヤーを示す図である。
【図３】ループ・タグの全体斜視図である。
【図４】ループ・タグ筐体の詳細図である。
【図５】本考案のループ・タグの短絡検知回路を示す図である。
【符号の説明】
【００２９】
４      端子
５      抵抗
８      トランジスタ
１０      タグ筐体
２０      ワイヤー
【図１】
0003138094.tif 000003
【図２】
0003138094.tif 000004
【図３】
0003138094.tif 000005
【図４】
0003138094.tif 000006
【図５】
0003138094.tif 000007